(57)【要約】【課題】柄を多方向に傾倒し、固定する操作が非常に簡単便利しかも迅速に行えるばかりでなく、柄が取付位置で長時間安定に固定できる特徴を備えた柄の取付固定台を得る。特に整髪練習用人形首用として好適柄の取付固定台を得る。【解決手段】上部に窄まり部１を備えた丸穴２を有する円筒支持部材３と、前記窄まり部１より大径を成して前記丸穴２内に収容され下端部に球体４を有する柄６、前記窄まり部１とは反対方向より該球体４の底部を支持する球体座７とからなり、該球体座７を上動変移し、該球体４を挟持固定する柄の取付固定台Ａにおいて、相互に接触しつつ相対的に回転する上下部一対の円筒部材８，９からなり、その一方の上部円筒部材８には接触面上に歯型８Ａを、他方の下部円筒部材９には該歯型８Ａと噛合う歯型９Ａを接触面上にそれぞれ設け、前記上下部円筒部材８，９のいずれか一方を所定角度回転することよって該球体座７を上動変移するようにした。【選択図】図１
2004062127.tif 000002
【特許請求の範囲】
【請求項１】
上部に窄まり部を備えた丸穴を有する円筒支持部材と、下端部に前記窄まり部より大径を成して前記丸穴内に収容された球体を有する柄と、該窄まり部とは反対方向より該球体の底部を支持する球体座とからなり、該球体座を上動変移し球体を挟持固定する柄の取付固定台において、相互に接触しつつ相対的に回転する上下部一対の円筒部材からなり、その一方の円筒部材には接触面上にクサビ状の歯型を、他方の円筒部材には該歯型と噛合うクサビ状の歯型を接触面上にそれぞれ設け、前記円筒部材のいずれか一方を所定角度回転することよって該球体座を上動変移するようにしたことを特徴とする柄の取付固定台。
【請求項２】
上部に窄まり部を備えた丸穴を有する円筒支持部材と、下端部に前記窄まり部より大径を成して前記丸穴内に収容された球体をかつ上端部に整髪練習用人形首とを有する柄と、該窄まり部とは反対方向より該球体の底部を支持する球体座とからなり、該球体座を上動変移し該球体を挟持固定する整髪練習用人形首の取付固定台において、相互に接触しつつ相対的に回転する上下部一対の円筒部材からなり、その一方の円筒部材には接触面上にクサビ状の歯型を、他方の円筒部材には該歯型と噛合うクサビ状の歯型を接触面上にそれぞれ設け、前記円筒部材のいずれか一方を所定角度回転することよって該球体座を上動変移するようにしたことを特徴とする整髪練習用人形首の取付固定台。
【請求項３】
球体座と上部円筒部材が一体である請求項１あるいは請求項２の柄あるいは整髪練習用人形首の取付固定台。
【請求項４】
球体座と上部円筒部材が別体である請求項１あるいは請求項２の柄あるいは整髪練習用人形首の取付固定台。
【発明の詳細な説明】
【０００１】
【産業上の利用分野】
本願発明は、柄を多方向に傾倒しそのまま固定する操作が非常に簡単便利で迅速に行え、しかも柄が取付位置で長時間安定に固定できる特徴を備えた柄の取付固定台に関する。本願発明の柄の取付固定台は、特に整髪練習用人形首の取付固定台として好適である。
【０００２】
【従来の技術】
従来、上部に窄まり部を備えた丸穴を有する円筒支持部材と、下端部に前記窄まり部より大径を成して前記丸穴内に収容された球体を有する柄と、該窄まり部とは反対方向より該球体の底部を支持する球体座とからなり該球体座を上動変移し、該球体を挟持固定する柄の取付固定台として、「整髪練習用人形首の取付台」（実開平６−１７６２３）、「整髪練習用人形首の取付台」（特開平８−１６４０２２）、「パラソルスタンド」（特開２０００−２３７２１）等が知られている。
しかしながら、上記いずれの方法も締付用ボルトにより球体を挟持固定する方法であるため、ボルトの操作が煩雑である欠点を有している。また、整髪練習用人形首の取付台として利用する場合、柄を多方向に傾倒し、固定する操作において迅速性に欠ける欠点を有している。
特に、「整髪練習用人形首の取付台」（実開平６−１７６２３）の場合には、締付用ボルトの先端部を球体に当接し球体を固定するため、球体の表面が磨耗しやすく、また柄を取付位置で長時間安定に固定できなくなる欠点を有している。
【０００３】
【発明が解決しようとする課題】
本願発明は、柄を多方向に傾倒し、固定する操作が非常に簡単便利しかも迅速に行えるばかりでなく、柄を取付位置で長時間安定に固定できる特徴を備えた柄の取付固定台、並びに同特徴を有する整髪練習用人形首の取付固定台を得ることを目的とする。
【０００４】
【課題を解決する為の手段】
本願発明は、上記課題を解決するためのものであって、即ち、上部に窄まり部を備えた丸穴を有する円筒支持部材と、下端部に前記窄まり部より大径を成して前記丸穴内に収容された球体を有する柄と、該窄まり部とは反対方向より該球体の底部を支持する球体座とからなり、該球体座を上動変移し球体を挟持固定する柄の取付固定台において、相互に接触しつつ相対的に回転する上下部一対の円筒部材からなり、その一方の円筒部材には接触面上にクサビ状の歯型を、他方の円筒部材には該歯型と噛合うクサビ状の歯型を接触面上にそれぞれ設け、該円筒部材のいずれか一方を所定角度回転することよって該球体座を上動変移するようにしたことを特徴とする柄の取付固定台である。
【０００５】
また本願発明は、上部に窄まり部を備えた丸穴を有する円筒支持部材と、下端部に前記窄まり部より大径を成して前記丸穴内に収容された球体をかつ上端部に整髪練習用人形首とを有する柄と、該窄まり部とは反対方向より該球体の底部を支持する球体座とからなり、該球体座を上動変移し、該球体を挟持固定する整髪練習用人形首の取付固定台において、相互に接触しつつ相対的に回転する上下部一対の円筒部材からなり、その一方の円筒部材には接触面上にクサビ状の歯型を、他方の円筒部材には該歯型と噛合うクサビ状の歯型を接触面上にそれぞれ設け、前記円筒部材のいずれか一方を所定角度回転することよって該球体座を上動変移するようにしたことを特徴とする整髪練習用人形首の取付固定台である。
【０００６】
【発明の実施の形態】
以下、本願発明の実施例について図面を参照しながら説明する。まず、以下の本願発明における説明において、取付固定台Ａが、上部に窄まり部１を備えた丸穴２を有する円筒支持部材３と、下端部に前記窄まり部１より大径を成して前記丸穴２内に収容された球体４と、一方上端部に整髪練習用人形首５とをそれぞれ有する柄６と、該窄まり部１とは反対方向より該球体４の底部を支持する球体座７とからなり、該球体座７を上動変移し、該球体４を挟持固定するところは、従来の整髪練習用人形首の取付固定台と同様である。
【０００７】
本願発明は、上記整髪練習用人形首の取付固定台において、該球体座７を上動変移し、該球体４を挟持固定する手段として、以下の構成を採用することを特徴とする。
【０００８】
すなわち、相互に接触しつつ相対的に回転する上下部一対の円筒部材からなり、その一方の円筒部材には接触面上にクサビ状の歯型を、他方の円筒部材には該歯型と噛合う同様のクサビ状の歯型を接触面上にそれぞれ設け、前記円筒部材のいずれか一方を所定角度回転することよって該球体座を上動変移するようにしたことを特徴とする。
【０００９】
図１、図４、図５において、例えば外径が同一で、相互に接触しつつ相対的に回転する上下部一対の円筒部材８、９を有し、上部円筒部材８には、下部円筒部材９との接触面すなわち下端部にクサビ状の歯型８Ａを設ける。この歯型８Ａは、少なくとも２箇所（図５においては８ａ１、８ｂ１、８ｃ１の３箇所）に所定深さまで垂直方向に切込を入れ、それぞれ切込位置８ａ１、８ｂ１、８ｃ１から一方側の隣接する切込最深部８ａ２、８ｂ２、８ｃ２に向かって略直線的に削り取り、略直角三角形の壁（本願発明ではこれをクサビ状の歯型という）を形成することにより得ることができる。
【００１０】
この結果、図４に示すように、上部円筒部材８は、上縁内側に球体座７を有し、下縁にクサビの歯型８Ａが３個等間隔で下に突出した構成となっている。
なお、上部円筒部材８を上下２つに切断し、上部を球体座７を備えた部材とし、下部をそのまま上部円筒部材８としてもよい。この場合、上部円筒部材８は、上端面は平坦、下面はクサビ状の歯型８Ａを有したものとなる。さらに例えば、球体座７を備えた部材をプラスチック材、上下部円筒部材８，９をステンレス材で形成するように、それぞれの材料の特性を生かした部材で球体座７あるいは上下円筒部材８，９を構成することもできる。
【００１１】
歯型８Ａを形成する場合、切込位置８ａ１、８ｂ１、８ｃ１および切込最深部８ａ２、８ｂ２、８ｃ２の位置関係すなわち切込の深さは、上部円筒部材８の所望の上動距離によって決定することが好ましく、切込数は２〜４が好まし。
一方、下部円筒部材９には前記上部円筒部材８の歯型８Ａと噛合うクサビ状の歯型９Ａが形成されている。
【００１２】
このように相互に接触しつつ相対的に回転する上下部一対の円筒部材８，９のうち、いずれか一方（例えば上部円筒部材８）を円筒支持部３の内周壁を上下動自在であるが回転はできない構成とし、他方（例えば下部円筒部材９）は円筒支持部３内周壁を上下動できないが回転自在である構成とし、該下部円筒部材９を所定角度だけ回転すると、該回転に伴い、下部円筒部材９の上端部に形成されたクサビ状の歯型９Ａのが、上部円筒部材８の下端部に形成されたクサビ状の歯型８Ａに当接摺動しつつネジ作用により、上部円筒部材８を上方に押し上げ（本願発明では上動という）、上部円筒部材８の上端縁部にある球体座７が球体４に当接し球体４を上部に押し上げる結果、球体４は窄まり部１と球体座７に挟持され、所望の位置で固定される。
【００１３】
上記において、前記上部円筒部材８は、円筒支持部３の内周壁を上下自在であるが回転はできない構成とする方法としては、図１および図２に示す如く、まず上部円筒部材８の周壁の任意の個所とその対向壁（円筒支持部材３の周壁）にそれぞれ横貫通孔１０，１１を設ける。
上部円筒部材８の横貫通孔１０は、図２に示すごとく上下に長い孔とし、円筒支持部材３の横貫通孔１１は、ネジ孔とする。横貫通孔１１にネジ１２を螺合させることにより、円筒支持部３の周壁に設けた縦長の横貫通孔１０にて所定距離上下動可能とする方法が挙げられる。または、上部円筒部材８の外周部に突起を設け、該突起の対向壁（円筒支持部周壁）に縦長の横貫通孔１０を設けてもよい。
【００１４】
また上記において、下部円筒部材９を、円筒支持部３の内周壁を上下方向に摺動させず、回転自在とする方法としては、図１、図３に示すように例えば下部円筒部材９の任意の周壁に横方向にねじ孔１３（雌ねじ部）を設け、該ねじ孔１３の対向壁（円筒支持部３の周壁）に水平方向に長い横貫通孔１４（切欠孔）を形成し、この貫通孔１４の外側よりねじ棒１５の先端を挿入してネジ孔１３に螺合し、ネジ棒１５の後端部をピン１６を介して折りたたみ自在にロックレバー１７に連結した構成をとする方法が挙げられる。
そして、ロックレバー１７は図３に示すように、円筒支持部３の周壁に設けた横長の横貫通孔１４にて所定角度移動可能なようになっている。
図１において、１６は、前記上下部の円筒部材８，９の支持部材で、円筒支持部材３の下端部より螺合により装着される。
【００１５】
図７に上部円筒部材８における球面座７に溝２０を設けた実施例であり、本実施例により該球面座７にごみ等が溜るのを防止し、球体４の動きがより円滑になる。
【００１６】
【発明の効果】
本願発明は、柄を多方向に傾倒し、固定する操作が非常に簡単便利しかも迅速に行えるばかりでなく、柄が取付位置で長時間安定に固定できる。特に整髪練習用人形首用として好適柄の取付固定台を得る。すなわち整髪練習用人形首の取付固定台において、人形首を所望する多方向に傾倒し、固定する操作が非常に簡単便利しかも迅速に行い、人形首を所望の方向に向けつつ整髪練習を実現できるから、美容あるいは理容の練習に有効に利用することができる。
また、締付用ボルトにより球体を挟持固定する従来の柄の取付固定台に比べて、操作が非常に簡単であり、固定状態が長時間安定に維持されるという効果を奏する。
【図面の簡単な説明】
【図１】本願発明による整髪練習用人形首の取付台の正面図。
【図２】図１のＡ−Ａ線斜視図
【図３】図１のＢ−Ｂ線斜視図
【図４】本願発明の要部の分解斜視説明図
【図５】図１もしくは図４の要部拡大図
【図６】図１の斜視図
【図７】球面座の他の実施例
【符号の説明】
１　窄まり部
２　丸穴
３　円筒支持部
４　球体
５　整髪練習用人形首
６　柄
７　球体座
８　上部円筒部材
８ａ１，８ｂ１，８ｃ１　切込位置
８ａ２，８ｂ２，８ｃ２　切込最深部
９　下部円筒部材
１０…横貫通孔
１１…横貫通孔
１２…ネジ
１３…ねじ孔
１４…横貫通孔
１５…ネジ棒
１６…ピン
１７　ロックレバー
１８　支持部材
【図１】
2004062127.tif 000003
【図２】
2004062127.tif 000004
【図３】
2004062127.tif 000005
【図４】
2004062127.tif 000006
【図５】
2004062127.tif 000007
【図６】
2004062127.tif 000008
【図７】
2004062127.tif 000009